(57)【要約】【課題】複合機上方の空間を有効利用できないという課題がある。また、複合機上部に天板を設けて上部に物を置くことができる構造とした場合、大型化してしまうという課題がある。【解決手段】原稿台１０を上部に備えた筐体２と、筐体２の上方に備えられ、原稿台１０を覆うカバー部３と、筐体２の内部に収容され、原稿台１０に載置された原稿Ｇ１を読み取る読取部２００と、筐体２の内部に収容され、記録媒体としての用紙Ｐ１に記録する記録部１００と、原稿台１０とカバー部３との間に原稿Ｇ１を挿入するための挿入部Ａと、筐体２に設けられ、記録部１００によって記録された用紙Ｐ１が排出される記録媒体排出用開口部５と、を備え、挿入部Ａは、原稿Ｇ１が原稿台１０とカバー部３との間から排出される排出口としても機能する複合機１を提供する。【選択図】図３
2014053764.tif 000002
【特許請求の範囲】
【請求項１】
原稿台を上部に備えた筐体と、
前記筐体の上方に備えられ、前記原稿台を覆うカバー部と、
前記筐体の内部に収容され、前記原稿台に載置された原稿を読み取る読取部と、
前記筐体の内部に収容され、記録媒体に記録する記録部と、
前記原稿台と前記カバー部との間に前記原稿を挿入するための挿入部と、
前記筐体に設けられ、前記記録部によって記録された前記記録媒体が排出される記録媒体排出用開口部と、を備え、
前記挿入部は、前記原稿が前記原稿台と前記カバー部との間から排出される排出口としても機能することを特徴とする複合機。
【請求項２】
請求項１に記載の複合機であって、
前記挿入部と前記記録媒体排出用開口部とは、前記筐体における同じ面側に設けられたことを特徴とする複合機。
【請求項３】
請求項１または請求項２に記載の複合機であって、
前記挿入部と前記記録媒体排出用開口部とは、前記筐体の正面側に設けられたことを特徴とする複合機。
【請求項４】
請求項１から請求項３のいずれか一項に記載の複合機であって、
前記カバー部の上部は、平坦であることを特徴とする複合機。
【請求項５】
請求項１から請求項４のいずれか一項に記載の複合機であって、
透光性および可撓性を有し、前記原稿を収容し、前記原稿台と前記カバー部との間に挿入可能な収容部を備え、
前記読取部は、前記収容部が前記原稿台と前記カバー部との間に挿入された状態で、前記収容部に収容された前記原稿を読み取ることを特徴とする複合機。
【請求項６】
請求項１から請求項５のいずれか一項に記載の複合機であって、
前記筐体と前記カバー部との高さを変更する高さ変更機構部を備えたことを特徴とする複合機。
【発明の詳細な説明】
【技術分野】
【０００１】
本発明は、複合機に関する。
【背景技術】
【０００２】
一般的な複合機の構成は下部に画像形成部を有すプリンター部、上部に原稿を読み取るスキャナー部から構成される。例えば、特許文献１では、原稿を読み取り部に搬送するシートフィード機構を搭載している。シートフィード機構の動作を妨げないためには複合機上部に物を置くようなことができない。また、例えば、特許文献２では、シートフィード機構を搭載していない一枚の原稿を手でセットするスキャナー部を搭載している卓上型の複合機が開示されている。特許文献２の複合機は、原稿台を覆うカバーが開閉可能になっており、カバーの開閉動作を妨げないようにするために複合機の上部に物を置くことができない。
このように複合機の上部に物を置くことが許されなくて複合機上部の空間を空けておかなければならない状況は、特に卓上型の小型の複合機にとっては非常に使い勝手が悪い。そこで、例えば、特許文献３では、複合機の上部を有効活用したいとの課題に取り組む例として複合機上部に天板を設け複合機の上に物や紙資料等を置けるようにして複合機上方空間を有効利用できるようにした構成が開示されている。しかし本装置構成ではスキャナー部と天板の間の空間を確保する必要があり複合機の高さを低くすることはできない。
また、例えば、特許文献４では、原稿載置トレイを使い天板上に物を置けるようにした複合機がある。この場合、原稿を上から押さえるための原稿カバーをトレイにセットする構造でトレイのサイズ・容積が増加し、トレイという別筐体を装置に装着するため、全体としてスキャナー部の大型化は避けられない。大型のトレイを搬送するローラー類の装備も必要で複合機の高さを低く抑えることはできない。特許文献５にも同様の例が開示されている。
【先行技術文献】
【特許文献】
【０００３】
【特許文献１】特開２０１２−１６０８４１号公報
【特許文献２】特開２０１２−１３５９３７号公報
【特許文献３】特開２００７−７８９９５号公報
【特許文献４】特開平６−７００７４号公報
【特許文献５】特開２００２−５７８４７号公報
【発明の概要】
【発明が解決しようとする課題】
【０００４】
このように、従来の複合機では、上部に物を置くことができず、複合機上方の空間を有効利用できないという課題がある。また、複合機上部に天板を設けて上部に物を置くことができる構造とした場合、従来技術では複合機のサイズをコンパクトにできず、大型化してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］原稿台を上部に備えた筐体と、前記筐体の上方に備えられ、前記原稿台を覆うカバー部と、前記筐体の内部に収容され、前記原稿台に載置された原稿を読み取る読取部と、前記筐体の内部に収容され、記録媒体に記録する記録部と、前記原稿台と前記カバー部との間に前記原稿を挿入するための挿入部と、前記筐体に設けられ、前記記録部によって記録された前記記録媒体が排出される記録媒体排出用開口部と、を備え、前記挿入部は、前記原稿が前記原稿台と前記カバー部との間から排出される排出口としても機能することを特徴とする複合機。
【０００７】
本適用例によれば、原稿台とカバー部との間に原稿を挿入するための挿入部を備え、挿入部は、原稿が原稿台とカバー部との間から排出される排出口としても機能する。これにより、カバー部を開けなくても、原稿を原稿台上に載置し、原稿を読取部によって読み取ることができる。そのため、カバー部上部に物を置くなど複合機上方の空間を有効利用することができる。また、複合機上部に物を置くための天板などを設ける必要がないので、複合機の大型化を抑制できる。
【０００８】
［適用例２］前記挿入部と前記記録媒体排出用開口部とは、前記筐体における同じ面側に設けられたことを特徴とする上記複合機。
【０００９】
本適用例によれば、使用者による操作性が向上する。
【００１０】
［適用例３］前記挿入部と前記記録媒体排出用開口部とは、前記筐体の正面側に設けられたことを特徴とする上記複合機。
【００１１】
本適用例によれば、使用者による操作性がさらに向上する。
【００１２】
［適用例４］前記カバー部の上部は、平坦であることを特徴とする上記複合機。
【００１３】
本適用例によれば、カバー部の上部に物を置いた場合、安定した姿勢で物を保持できる。
【００１４】
［適用例５］透光性および可撓性を有し、前記原稿を収容し、前記原稿台と前記カバー部との間に挿入可能な収容部を備え、前記読取部は、前記収容部が前記原稿台と前記カバー部との間に挿入された状態で、前記収容部に収容された前記原稿を読み取ることを特徴とする上記複合機。
【００１５】
本適用例によれば、剛性が低い原稿を収容した収容部を、原稿台とカバー部との間に挿入することができる。
【００１６】
［適用例６］前記筐体と前記カバー部との高さを変更する高さ変更機構部を備えたことを特徴とする上記複合機。
【００１７】
本適用例によれば、厚紙で構成された原稿を原稿台とカバー部との間に挿入することができる。
【図面の簡単な説明】
【００１８】
【図１】（ａ）は、実施形態１に関わる複合機を正面側から見た外観斜視図、（ｂ）は、記録媒体排出用開口部から用紙が排出される様子を示す複合機の外観斜視図。
【図２】（ａ）は、カバー部が閉じた状態で、挿入部から原稿を挿入する様子を示す複合機の外観斜視図、（ｂ）は、カバー部が開かれた状態で、本が原稿台に載置された様子を示す複合機の外観斜視図。
【図３】複合機の概略構成を模式的に示す図。
【図４】実施形態２に関わる複合機の概略構成を模式的に示す図。
【図５】実施形態３に関わる複合機の概略構成を模式的に示す図。
【図６】（ａ）は、フォルダーを示す図、（ｂ）は、フォルダーの断面図。
【図７】背面に用紙を載置する載置部を備えた複合機の外観斜視図。
【発明を実施するための形態】
【００１９】
以下、本発明の実施形態について、図面を参照して説明する。
【００２０】
（実施形態１）
図１（ａ）は、本実施形態に関わる複合機１を正面側から見た外観斜視図である。筐体２の鉛直方向Ｚにおける上方には、カバー部３が備えられる。尚、以降は、「上方」、「上部」、「上側」、「上端部」、「下方」、「下部」、「下側」の記載は、鉛直方向Ｚにおいていう。筐体２の下部には、記録媒体としての用紙を収容する用紙カセット４が備えられる。使用者は、用紙カセット４を正面側に引き出して、用紙をセットすることができる。
【００２１】
図１（ｂ）は、記録媒体排出用開口部５から用紙Ｐ１が排出される様子を示す複合機の外観斜視図である。筐体２の正面側には、用紙Ｐ１の用紙幅方向Ｙに長い記録媒体排出用開口部５が設けられる。
【００２２】
用紙カセット４に収容された用紙Ｐ１は、筐体２の内部に収容された記録部によって記録され、記録媒体排出用開口部５から搬送方向Ｘにおける下流方向Ｘ１に排出される。筐体２の正面側で、記録媒体排出用開口部５の下方には、搬送方向Ｘにおいてスライド可能にスタッカー６が設けられる。記録媒体排出用開口部５から排出された用紙Ｐ１は、使用者によって正面側に引き出されたスタッカー６に載置される。
【００２３】
筐体２の正面側には、操作部としてのタッチパネル７が設けられる。使用者によるタッチパネル７の操作によって、複合機１に対して様々な動作指示を行うことができる。
【００２４】
図２（ａ）は、カバー部３が閉じた状態で、挿入部Ａから原稿Ｇ１を挿入する様子を示す複合機１の外観斜視図である。カバー部３を閉じた状態において、筐体２の正面側の上端部に形成された案内面８と、カバー部３の正面側の端部に形成された案内面９とによって、正面側が開口した挿入部Ａが構成される。
【００２５】
原稿Ｇ１は、使用者によって、挿入部Ａから搬送方向Ｘにおける上流方向Ｘ２に向かってカバー部３の下部に挿入される。挿入部Ａから挿入された原稿Ｇ１は、カバー部３の下部に挿入され、筐体２の内部に収容された読取部によって文字や画像が読み取られる。
【００２６】
図２（ｂ）は、カバー部３が開かれた状態で、本Ｍが原稿台１０に載置された様子を示す複合機１の外観斜視図である。カバー部３は、筐体２の背面側上端部を支点として、矢印Ｄ１に示すように回動可能に備えられる。
【００２７】
使用者は、カバー部３を回動させて開いた状態で、筐体２の上部に設けられた原稿台１０に本Ｍを開いた状態で載置する。使用者は、カバー部３を回動させて閉じ、本Ｍと原稿台１０とを覆う。本Ｍに描かれた文字や画像は、読取部によって読み取られる。
【００２８】
図３は、複合機１を用紙幅方向Ｙから見た図で、複合機１の概略構成を模式的に示す図である。複合機１は、下部に記録部１００、上部に読取部２００を積み重ねた構成である。記録部１００について説明する。
【００２９】
記録部１００における下部にシート状の用紙Ｐ１を積層して載置する用紙カセット４を装着しており、筐体２の前面（図面右側）より装着している。
【００３０】
用紙カセット４の上方には図示しないモーターによって回転駆動されるピックアップローラー１０３が設けられている。ピックアップローラー１０３は、揺動軸１０１を中心に揺動する揺動部材１０２に設けられている。
【００３１】
用紙カセット４の背面側には、分離斜面１０４が設けられる。分離斜面１０４は、用紙カセット４からピックアップローラー１０３の回転により繰り出された用紙Ｐ１の先端と接し、用紙Ｐ１が分離斜面１０４と接した状態で給送経路下流側へと搬送されることにより、最上位の用紙Ｐ１と次位以降の用紙Ｐ１との分離を行う。
【００３２】
分離斜面１０４の給送経路下流側には、図示しないモーターにより駆動される給送駆動ローラー１０６と、分離ローラー１０５とを備えている。分離ローラー１０５は、給送駆動ローラー１０６と接するとともに再度用紙Ｐ１に対して分離を行い、確実に最上位の用紙Ｐ１のみを給送経路下流側に送る。
【００３３】
分離ローラー１０５の給送経路下流側には、給送駆動ローラー１０６との間で用紙Ｐ１を挟持して従動回転する給送従動ローラー１０７が設けられている。給送駆動ローラー１０６と給送従動ローラー１０７とにより用紙Ｐ１は、給送路１１６側に送られる。さらに、給送路１１６の給送経路下流側には、図示しないモーターにより駆動される搬送駆動ローラー１０８と、搬送駆動ローラー１０８に圧接して従動回転する搬送従動ローラー１０９とを備える搬送手段が設けられている。この搬送手段により、用紙Ｐ１は、さらに給送経路下流側へと送られる。
【００３４】
搬送手段の給送経路下流側には、記録手段が設けられている。記録手段は、記録ヘッド１１３と、記録ヘッド１１３と対向する支持部材１１０とを備えている。記録ヘッド１１３は、キャリッジ１１１の底部に設けられ、搬送される用紙Ｐ１と対向する。キャリッジ１１１は、図示しない駆動モーターによって用紙幅方向Ｙに往復動する様に駆動される。搬送方向Ｘにおける下流方向Ｘ１に搬送される用紙Ｐ１に対して、記録ヘッド１１３からインクが吐出されて画像が形成される。
【００３５】
支持部材１１０は、用紙Ｐ１を支持し、用紙Ｐ１と記録ヘッド１１３との距離を規定する。支持部材１１０の下流側には、記録の行われた用紙Ｐ１を排出する排出手段が設けられている。排出手段は、図示しない駆動源によって駆動される排出駆動ローラー１１４と、排出駆動ローラー１１４に接して従動回転する排出従動ローラー１１５とを備えている。画像形成された用紙Ｐ１は、排出手段によって、搬送路１１７を搬送し、筐体２の正面側に設けられた記録媒体排出用開口部５から排紙され、スタッカー６に載置される。
【００３６】
次に、読取部２００について説明する。読取部２００の下部には、ガイド軸２０３に案内されて用紙幅方向Ｙに移動可能なキャリッジ２０２が備えられる。キャリッジ２０２には、搬送方向Ｘに延びるライン型ＣＩＳセンサー２０４が備えられる。
【００３７】
ライン型ＣＩＳセンサー２０４の上部には、透明ガラス板などの透明な部材で構成される原稿台１０が筐体２の上部に設けられる。カバー部３が原稿台１０を覆う状態で、キャリッジ２０２が停止または移動しながら原稿台１０に載置された原稿を読み取ることができる。
【００３８】
読取部２００の上部には、駆動ローラー２０６、従動ローラー２０５、搬送ベルト２０７を含んで構成される原稿搬送機構部が設けられる。原稿搬送機構部は、カバー部３が原稿台１０を覆う状態において、原稿台１０とカバー部３とに挟まれた状態で原稿Ｇ１を搬送させる。
【００３９】
搬送ベルト２０７の下部内側には、押圧パッド２０９が装着されており適切なタイミングで原稿Ｇ１と原稿台１０との密着を促進させる。原稿Ｇ１の密着を確実なものとするため搬送ベルト２０７は、両端の駆動ローラー２０６、従動ローラー２０５で張架されて取り付けられている。搬送ベルト２０７に当接するクリーニング用のブラシ（不図示）を備え、画像読取の信頼性を向上するようにしてもよい。
【００４０】
筐体２の上部における前面側に紙検出センサー２１０及び原稿ピックアップ・搬送用ローラー２０８が設けられている。原稿ピックアップ・搬送用ローラー２０８は、上下移動し、上側に移動した時に原稿Ｇ１を搬送ベルト２０７と接触させ、搬送させる役目を担っている。
【００４１】
カバー部３と筐体２とは後端部に設けられたヒンジ２０１により連結されており、カバー部３を回動可能に開閉することが可能である。前述したように、読取部２００は、カバー部３を閉じた状態で原稿Ｇ１をカバー部３と原稿台１０との間に挿入したり（図２（ａ）参照）、カバー部３を開いて本Ｍを原稿台１０に載置し、再びカバー部３を閉じることができる（図２（ｂ）参照）。
【００４２】
通常の主要なモードは、カバー部３を閉じた状態で原稿Ｇ１をカバー部３と原稿台１０との間に挿入し、原稿Ｇ１を読み取るオートローディングモードである。カバー部３を閉じた状態にあるとき、図３に示すように、カバー部３と筐体２とが対向する正面側の端部には、隙間Ｌが形成される。
【００４３】
カバー部３の案内面９、筐体２の案内面８、隙間Ｌによって、正面側が開口する挿入部Ａが形成される。挿入部Ａを正面側から見ると、やや口を開いた外観を呈しており、隙間Ｌは原稿Ｇ１を原稿台１０と搬送ベルト２０７との間にセットするために、原稿Ｇ１を差込む原稿挿入口である。原稿Ｇ１を隙間Ｌに挿入するとき、案内面８，９によって、ガイドされる。
【００４４】
使用者によって挿入部Ａから上流方向Ｘ２に挿入された原稿Ｇ１は、原稿搬送機構部によって上流方向Ｘ２に搬送され、原稿台１０に載置される。読み取られた原稿Ｇ１は、原稿搬送機構部によって下流方向Ｘ１に搬送され、挿入部Ａから正面側に排出される。すなわち、挿入部Ａは、読取が終了した後に排出される原稿Ｇ１の排出口としての機能も有する。
【００４５】
図１（ｂ）を用いて説明したように、記録された用紙Ｐ１は、記録媒体排出用開口部５から正面側（下流方向Ｘ１）に排出される。このような記録部１００と読取部２００を組合せた複合機１は、原稿Ｇ１、用紙Ｐ１の扱いが全て前面アクセスになるので使用者は扱いやすい。
【００４６】
以下スキャニングプロセスの動きを以下説明する。まず、読取部２００のスイッチがＯＮになった場合、初期動作として原稿台１０に原稿が残っていないかどうかの原稿の有無チェックを行う。
【００４７】
原稿が無い場合はそのまま待機状態に入る。原稿が残っていた場合は原稿が残っていることを表示して、以下のいずれかの動作をする。第一の対応は原稿台１０に残っていた原稿の排出である。第二の対応は原稿が残っていることを使用者に知らせ、原稿の扱い、即ち、スキャンして排出か、スキャンしてコピーを作成か、何もせず排出か等について使用者の指示を待つことである。この２つの対応についてはあらかじめ環境設定により決めておく。
【００４８】
初期動作が終了すると待機状態に入る。待機状態に入っている状態での原稿をスキャンする手順を説明する。使用者が挿入部Ａに原稿を差し込んでいくと紙検出センサー２１０により原稿が入ったことが検知され、さらに原稿が内部に挿入されると、ストッパー２１１に突き当たり、これ以上は挿入できない位置が存在する。この時点では原稿ピックアップ・搬送用ローラー２０８は、下側で待機しており原稿の挿入の障害にはならない。
【００４９】
紙検出センサー２１０で原稿が入ったことを検出して後所定時間後（原稿がストッパー２１１に突き当たるまでの想定時間よりやや短い時間）、原稿ピックアップ・搬送用ローラー２０８が上側に移動し、ローラニップ部で原稿を挟み、原稿台１０に向って搬送開始することにより原稿が原稿台１０に導かれていく。ストッパー２１１の高さよりもローラニップ部の高さを高くなるように設定することによりストッパー２１１はこれ以降の原稿の動きの妨げにはならない。
【００５０】
紙検出センサー２１０が原稿を検出した段階でライン型ＣＩＳセンサー２０４は左右方向にスキャンを開始して原稿の先端位置を確認する。またさらに原稿が原稿読み取り部に進むに従って、原稿の後端を検出すると原稿が原稿読み取り部に正しくセットされたと判断して搬送ベルト２０７の駆動を停止する。原稿の後端を検出する前に原稿の先端が原稿台１０を外れるとエラーメッセージを使用者に発して、使用者の指示を待つために搬送ベルト２０７の駆動を停止する。
【００５１】
原稿が原稿台１０にセットされた後は通常のスキャン動作が実施される。ライン型ＣＩＳセンサー２０４は原稿濃度を校正した後、左右方向にスキャンをする正規のデータ取り込みスキャンをする。スキャンデータは、使用者の求めているものかどうか判断させるために、ＰＣ（不図示）と接続されている場合、ＰＣディスプレイ上に表示することができる。
【００５２】
また、複合機１にディスプレイとして機能するタッチパネル７が搭載されている本例では、タッチパネル７上に表示することができる。カラーディスプレイが搭載されているとカラーの色も確認できる。スキャンした文字や画像の質を見るために表示ディスプレイ像を拡大して確認することもできる。
【００５３】
拡大の方法については、スマートフォン等で一般的に使用されている指をディスプレイ上で動かす方法が直感的で使いやすい。例えば、原稿全体像がディスプレイ上に表示されている場合、拡大したい箇所に対応するディスプレイ表面上を指一本で欲しい拡大率に応じて、２回タップ、３回タップ、４回タップ、等タップ数を変える。また２回タップを繰り返すことにより拡大したい箇所を絞りながら拡大していく。元に戻すときには指を水平方向にスイープして今までの拡大動作をキャンセルする。拡大縮小については通常の二本指を開いたり狭めたりする動作も併用あるいは単独で使用可能である。
【００５４】
当然このようなチェックをせずに自動的にコピー処理等を進めるモードも用意される。スピードを重視する場合には適したモードだと思われる。使用者はスキャンに不満と判断した場合、再スキャンの指示、原稿取り出しの指示を出すことができる。使用者が求めているものと判断した場合、コピー指示をすれば複合機１は取得データでの印刷を実行する。
【００５５】
スキャンデータを次のステップに送った場合（即ち、コピー動作、ＰＣ等へのデータ送付等）は、記録部１００の動きとは別に原稿の取り出し動作が自動的に行われる。押圧パッド２０９の押し圧力を下げ、搬送ベルト２０７を逆転することにより原稿を挿入部Ａに向って動かす。駆動ローラー２０６の直径を適切に設定することによりローラニップ部を先頭が通過した後、原稿先端が駆動ローラー２０６に追従せず搬送ベルト２０７より剥がれる。
【００５６】
その後、挿入部Ａに向って移動する。紙検出センサー２１０の位置より原稿が移動したことを確認した段階で搬送ベルト２０７の動きを停め、原稿台１０に原稿が残っていないことを確認した後、読取部２００は待機状態に移行して一連のスキャン作業を終了する。スキャンが終了した場合、自動的に原稿を排出する動作等の自動動作は使用者の操作利便性を高める。
【００５７】
ライン型ＣＩＳセンサー２０４の長手方向は、原稿の搬送方向Ｘに平行の前後方向でも、原稿の搬送方向Ｘに垂直の左右方向でもいずれでも良い。ライン型ＣＩＳセンサーの長手方向が、原稿の搬送方向Ｘに平行の前後方向であると、ライン型ＣＩＳセンサーの長手方向の長さを短くすることができる。
【００５８】
以上、説明した複合機１は、原稿台１０を上部に備えた筐体２と、筐体２の上方に備えられ、原稿台１０を覆うカバー部３と、筐体２の内部に収容され、原稿台１０に載置された原稿Ｇ１を読み取る読取部２００と、筐体２の内部に収容され、記録媒体としての用紙Ｐ１に記録する記録部１００と、原稿台１０とカバー部３との間に原稿Ｇ１を挿入するための挿入部Ａと、筐体２に設けられ、記録部１００によって記録された用紙Ｐ１が排出される記録媒体排出用開口部５と、を備え、挿入部Ａは、原稿Ｇ１が原稿台１０とカバー部３との間から排出される排出口としても機能する。
【００５９】
この構成によれば、カバー部３を開けなくても、原稿Ｇ１を原稿台１０上に載置し、原稿Ｇ１を読取部２００によって読み取ることができる。そのため、カバー部３上部に物を置くなど複合機１上方の空間を有効利用することができる。また、複合機１上部に物を置くための天板などを設ける必要がないので、複合機１の大型化を抑制できる。
【００６０】
また、挿入部Ａと記録媒体排出用開口部５とは、筐体２における正面側に設けられる。これにより、使用者による操作性が向上する。
【００６１】
また、カバー部３の上部は、平坦である。これにより、カバー部３の上部に物を置いた場合、安定した姿勢で物を保持できる。
【００６２】
（実施形態２）
実施形態１では、カバー部に原稿搬送機構部を備えたが、実施形態２では、カバー部に原稿搬送機構部を備えない複合機について説明する。図４は、実施形態２に関わる複合機１ａを用紙幅方向Ｙから見た図で、複合機１ａの概略構成を模式的に示す図である。
【００６３】
複合機１ａは、実施形態１で説明した記録部１００を備える。また、読取部２００ａは、実施形態１のガイド軸２０３に移動可能に備えられ、ライン型ＣＩＳセンサー２０４を搭載したキャリッジ２０２、原稿台１０を備える。
【００６４】
カバー部３ａは、筐体２とヒンジ２２０によって連結され、回動可能に備えられる。カバー部３ａには、押圧パッド２２２が備えられる。押圧パッド２２２のサイズは、原稿台１０のサイズと同一か若しくは近いサイズである。押圧パッド２２２は樹脂製の板材とカバー部３ａ上部の基材との間に複数の弾性フォーム材２２１を適当に配置したものである。樹脂製の板材はフレキシブルを示す程度の材質・厚みが選定される。
【００６５】
押圧パッド２２２は、カバー部３ａの前面端部を巻き込んで覆うように前部側面まで延びている。そのため、スキャンする原稿Ｇ２を確実に原稿台１０と密着させる機能を果たしている。
【００６６】
カバー部３ａを閉じた状態で、原稿台１０とカバー部３ａとの間に、原稿Ｇ２を挿入するための挿入部Ｂが設けられている。挿入部Ｂは、筐体２とカバー部３ａとが対向する正面側の端部に設けられる。
【００６７】
挿入部Ｂは、筐体２上部の正面側の端部に形成された案内面１１と、カバー部３ａの正面側の端部の形状に沿って形成された押圧パッド２２２の案内面１２とによって構成され、正面側が開口している。
【００６８】
カバー部３ａを閉じた状態では、押圧パッド２２２は下部の原稿台１０と密着している。そのため、原稿は、挿入部Ｂが開けられていても押圧パッド２２２と原稿台１０との間に挿入できるだけの剛性が必要である。しかし、原稿は紙であり、腰を強くして剛性を高めようとしても限界があり、原稿を原稿読み取り部に挿入することができない場合がある。
【００６９】
そこで、本実施形態では、原稿を収容するための収容部としてのフォルダーを用意する。図６（ａ）は、フォルダー２３０を示す図である。フォルダー２３０は、無色透明の可撓性を有する樹脂材料から構成される。例えば、ランダムポリプロピレン系樹脂である母体と若干量の高分子型帯電防止剤を配合したフィルムを主成分とする単層若しくは複層のフィルムの表面にフッ素樹脂層またはシリコン樹脂層を形成したものである。
【００７０】
ランダムポリプロピレン樹脂としては例えば、プロピレン−エチレンランダム共重合体などがあげられる。高分子型帯電防止剤としては、例えば、ポリエーテルエステルアミド系や、エチレンオキシド−エピクロルヒドリン系、ポリエーテルエステル系、ポリスチレンスルホン酸系、四級アンモニウム塩基含有アクリレート重合体系などが挙げられる。ポリプロピレン樹脂表面上にコロナ放電処理をした後、フッ素樹脂層あるいはシリコン樹脂層を形成すると層強度を上げることができる。
【００７１】
図６（ｂ）は、図６（ａ）の断面位置Ｅ−Ｅ´において矢印方向から見たフォルダー２３０の断面図である。上述した方法により製作したフィルムは、適当なサイズにカットされ、二つ折りにされ、折り曲げ部２３２が形成される。その後、折り曲げ部２３２と直交する辺２３３を溶着処理する。
【００７２】
折り曲げ部２３２、辺２３３のそれぞれ反対側の辺を開けて、原稿Ｇ２をフォルダー２３０の中に挿入し、面２３４，２３５によって原稿Ｇ２を挟んだ状態で収容する。
【００７３】
フォルダー２３０には、折り曲げ部２３２の反対側の辺の両端部から突出した一対のタブ２３１が形成される。これにより、使用者は、原稿台１０とカバー部３ａとの間に挿入された状態のフォルダー２３０を、タブ２３１を把持し、引き出すことができる。また、フォルダー２３０を挿入部Ｂから押し込んで挿入したときの押し込み量（長さ）を判断できる。
【００７４】
複合機１ａによる原稿読み取りの手順を説明する。実施形態１と同じように複合機１ａは待機状態にある。用意した透明なフォルダー２３０に折り曲げ部２３２と溶着した辺２３３を基準に原稿Ｇ２をセットする。
【００７５】
透明なフォルダー２３０を挿入部Ｂより押し込む。タブ２３１により押し込み量が適切かどうか判断できる。即ちタブ２３１の挿入部Ｂからのはみ出しレベル、両端のタブ２３１のはみ出しレベルの比較により押し込み量と平行度の適切さが直感的に判断できる。
【００７６】
筐体２の正面側の上端部に形成された案内面１１と、カバー部３ａの正面側の端部の形状に沿って押圧パッド２２２が前面側に延びた案内面１２とが形成されていることによりフォルダー２３０をスムーズに挿入することができる。
【００７７】
原稿Ｇ２を原稿台１０上にセットしたところで、タッチパネル７を操作してスキャン、コピーの指示を出す。スキャン、であれば実施形態１のようにスキャンデータを使用者に判断してもらう。コピーであれば使用者の判断を待たずに記録部１００を起動してコピーを作成する。
【００７８】
スキャンが終了した段階でフォルダー２３０を挿入部Ｂより突き出しているフォルダー２３０のタブ２３１を把持し、引き出して排出する。タブ２３１は両端二箇所形成されているため引き抜き作業が確実に行える。
【００７９】
以上、本実施形態で説明した複合機１ａは、透光性および可撓性を有し、原稿Ｇ２を収容し、原稿台１０とカバー部３ａとの間に挿入可能な収容部としてのフォルダー２３０を備え、読取部２００は、フォルダー２３０が原稿台１０とカバー部３ａとの間に挿入された状態で、フォルダー２３０に収容された原稿Ｇ２を読み取る。
【００８０】
この構成によれば、剛性が低い原稿Ｇ２を収容したフォルダー２３０を、原稿台１０とカバー部３ａとの間に挿入することができる。
【００８１】
（実施形態３）
実施形態３では、カバー部の高さ位置を調整する機構を備えた複合機について説明する。図５は、実施形態３に関わる複合機１ｂを用紙幅方向Ｙから見た図で、複合機１ｂの概略構成を模式的に示す図である。複合機１ｂには、カバー部３ａの高さ位置を変更する高さ変更機構部としてのレバー２２３が回動可能に備えられる。
【００８２】
レバー２２３の回動軸２２６は、筐体２の上部正面側に備えられる。レバー２２３の一方の端部２２４は、カバー部３ａと連結される。使用者は、レバー２２３の他方の端部２２５を持ってレバー２２３を矢印Ｄ２に示すように回動させる。これにより、カバー部３ａは、ヒンジ２２０を支点として回動し、原稿台１０からの高さ位置が変更される。
【００８３】
フォルダー２３０を原稿台１０とカバー部３ａとの間に挿入する際は、弾性フォーム材２２１、押圧パッド２２２によって圧力が生じている。レバー２２３を備え、カバー部３ａを回動させてカバー部３ａの高さを変更することにより、挿入部Ｃを広げることができる。これにより、厚紙で構成された原稿Ｇ３が収容されたフォルダー２３０を挿入部Ｃから容易に挿入させたり、排出させたりすることができる。レバー２２３を回動させてカバー部３ａを回動させたときの、カバー部３ａの上部の移動量は少ないので天板上の空間の利用は可能である。複合機１ｂのその他の構成は、実施形態２で説明した複合機１ａの構成と同じである。
【００８４】
図７は、背面に用紙Ｐ２を載置する載置部１３を備えた複合機１ｃの外観斜視図である。載置部１３に載置された用紙Ｐ２は、筐体２の内部に給紙され、筐体２の内部に収容された記録部（不図示）によって記録され、記録媒体排出用開口部５から排出され、正面側に引き出されたスタッカー６に載置される。その他の構成は、実施形態１で説明した複合機１の構成と同じである。本発明は、このように背面に載置部１３を備えた複合機１ｃにも適用される。
【００８５】
実施形態１〜実施形態３では、挿入部Ａ，Ｂ，Ｃと、記録媒体排出用開口部５とは、筐体２の正面側に設けられたが、挿入部と記録媒体排出用開口部とを同じ側面側に設けてもよい。
【符号の説明】
【００８６】
１，１ａ，１ｂ，１ｃ…複合機、２…筐体、３，３ａ…カバー部、５…記録媒体排出用開口部、８，９，１１，１２…案内面、１０…原稿台、１００…記録部、２００，２００ａ…読取部、２３０…フォルダー、２２３…レバー、Ａ，Ｂ，Ｃ…挿入部、Ｇ１〜Ｇ３…原稿、Ｐ１，Ｐ２…用紙。
【図１】
2014053764.tif 000003
【図２】
2014053764.tif 000004
【図３】
2014053764.tif 000005
【図４】
2014053764.tif 000006
【図５】
2014053764.tif 000007
【図６】
2014053764.tif 000008
【図７】
2014053764.tif 000009